(57)【要約】【課題】識別情報を分割して異なる方法で提供することにより認証を簡単に行う。【解決手段】給電装置と無線通信を行う車両に設けられる充電装置であって、充電開始を示す充電開始情報を受信すると、給電装置に割り振られた識別情報を分割して第１の特定情報を記憶したサーバから充電装置の位置座標に最も近い位置座標の給電装置に対応する第１の特定情報と、車両に設けられる支援装置から入力される識別情報の第１の特定情報以外の第２の特定情報と、を取得する取得部と、第１の特定情報と第２の特定情報を用いて第３の特定情報を生成する生成部と、生成した第３の特定情報と車両を識別するための車両識別情報とを含む認証要求情報を給電装置に送信するために無線通信部に出力し、給電装置から認証要求情報に対して返信される第３の特定情報と給電装置に割り振られた識別情報とが一致したこと示す情報を取得し、認証を判定する認証部と、を備える充電装置。【選択図】図６
2014023402.tif 000002
【特許請求の範囲】
【請求項１】
給電装置と無線通信を行う車両に設けられる充電装置であって、
充電開始を示す充電開始情報を受信すると、前記給電装置に割り振られた識別情報を分割して第１の特定情報を記憶したサーバから前記充電装置の位置座標に最も近い位置座標の給電装置に対応する前記第１の特定情報と、前記車両に設けられる支援装置から入力される前記識別情報の前記第１の特定情報以外の第２の特定情報と、を取得する取得部と、
前記第１の特定情報と前記第２の特定情報を用いて第３の特定情報を生成する生成部と、
生成した前記第３の特定情報と前記車両を識別するための車両識別情報とを含む認証要求情報を前記給電装置に送信するために無線通信部に出力し、前記給電装置から前記認証要求情報に対して返信される前記第３の特定情報と前記給電装置に割り振られた識別情報とが一致したこと示す情報を取得し、認証を判定する認証部と、
を備えることを特徴とする充電装置。
【請求項２】
前記車両が前記給電装置に決められた距離だけ近づくと、利用者に充電開始を促す充電開始表示と、前記充電開始表示を用いて充電開始が選択されると前記充電開始情報を出力させる充電開始画面を生成する表示生成部と、
前記充電開始画面を表示する表示部と、を備える前記支援装置と接続または前記支援装置を有することを特徴とする請求項１に記載の充電装置。
【請求項３】
前記表示生成部は、
前記充電開始表示画面を用いて充電開始することが選択されると、前記第１の特定情報の表示と前記第２の特定情報を入力する表示とを有する画面を、前記表示部に表示させるための情報を生成し、前記表示部に該情報を出力することを特徴とする請求項２に記載の充電装置。
【請求項４】
給電装置と無線通信を行う車両に設けられる充電装置の給電装置特定方法であって、
充電開始を示す充電開始情報を受信すると、前記給電装置に割り振られた識別情報を分割して第１の特定情報を記憶したサーバから前記充電装置の位置座標に最も近い位置座標の給電装置に対応する前記第１の特定情報を取得し、
前記車両に設けられる支援装置から入力される前記識別情報の前記第１の特定情報以外の第２の特定情報を取得し、
前記第１の特定情報と前記第２の特定情報を用いて第３の特定情報を生成し、
生成した前記第３の特定情報と前記車両を識別するための車両識別情報とを含む認証要求情報を前記給電装置に送信するために無線通信部に出力し、
前記給電装置から前記認証要求情報に対して返信される前記第３の特定情報と前記給電装置に割り振られた識別情報とが一致したこと示す情報を取得して認証を判定する、
ことを特徴とする給電装置特定方法。
【発明の詳細な説明】
【技術分野】
【０００１】
本発明は、給電装置を特定する充電装置、給電装置および給電装置特定方法に関する。
【背景技術】
【０００２】
近年、電気自動車（ＥＶ）やプラグインハイブリッド車（ＰＨＶ）などの車両の充電方式の一つとして、電磁誘導などを利用した非接触給電が知られている。
非接触で給電装置から車両の充電装置へ給電をするには、給電装置と充電装置との認証などの情報のやり取りが必要になる。情報のやり取りとには無線通信が考えられ、例えば、Ｂｌｕｅｔｏｏｔｈ（登録商標）やＺｉｇＢｅｅ（登録商標）などの至近距離の通信範囲を持つ無線機を使用することが考えられる。ところが、チャージステーションなどに複数の給電装置が設置されている場合、至近距離の通信範囲を持つ無線機だけでは認証が難しいと想定されるため、別途認証用の無線通信を用いた装置を設けることが考えられる。認証用の装置として、例えば、ＤＳＲＣ（Dedicated Short-Range Communication）やＲＦＩＤ（Radio Frequency Identification）を用いることが検討されている。
【０００３】
しかし、充電装置と相手先となる給電装置とを認証をする場合、認証用の装置を用いたとしても給電装置側の装置を識別する識別情報を充電装置から送信する必要があるため、給電装置側の装置ごとに識別情報を割り当てなければならない。そのため、将来設置される給電装置の数が増加するに従い、１つの装置に割り当てられる識別情報の情報量も増加する。その結果、充電装置と給電装置との認証が複雑になることが想定される。
【０００４】
関連する技術として、給電装置が複数設置されているような場合でも、車両と給電装置の接続関係を精度良く特定することができる充電システムが開示されている。給電装置の充電プラグに設けられた複数の突起のパターンからなる突起部と、充電プラグが接続される車両のコンセント部に設けられた複数の識別子とによって識別記号伝達手段を構成する。この識別記号伝達手段によって給電装置に付されたステーションＩＤを車両に搭載されたバッテリ制御部に伝達し、さらにバッテリ制御部によってこのステーションＩＤを車両の利用者ＩＤと共に管理装置に送信し、車両と給電装置の接続関係を精度良く特定する。例えば、特許文献１。
【先行技術文献】
【特許文献】
【０００５】
【特許文献１】特開２０１２−００５３１９号公報
【発明の概要】
【発明が解決しようとする課題】
【０００６】
本発明は上記のような実情に鑑みてなされたものであり、識別情報を分割して異なる方法で提供することにより認証を簡単に行うことを目的とする充電装置、給電装置および給電装置特定方法。
【課題を解決するための手段】
【０００７】
実施の態様のひとつである給電装置と無線通信を行う車両に設けられる充電装置は、取得部、生成部、認証部を有する。
取得部は、充電開始を示す充電開始情報を受信すると、給電装置に割り振られた識別情報を分割して第１の特定情報を記憶したサーバから充電装置の位置座標に最も近い位置座標の給電装置に対応する第１の特定情報を取得する。また、車両に設けられる支援装置から入力される識別情報の第１の特定情報以外の第２の特定情報を取得する。
【０００８】
生成部は、第１の特定情報と第２の特定情報を用いて第３の特定情報を生成する。
認証部は、生成した第３の特定情報と車両を識別するための車両識別情報とを含む認証要求情報を給電装置に送信するために無線通信部に出力する。また、認証部は給電装置から認証要求情報に対して返信される第３の特定情報と給電装置に割り振られた識別情報とが一致したこと示す情報を取得したのち、認証を判定する。
【発明の効果】
【０００９】
実施の態様によれば、識別情報を分割して異なる方法で提供することにより認証を簡単に行うができるという効果を奏する。
【図面の簡単な説明】
【００１０】
【図１】チャージステーションの一実施例を示す図である。
【図２】給電装置と車両の関係を示す図である。
【図３】車両とサーバとの関係を示す図である。
【図４】給電装置と充電装置の一実施例を示す図である。
【図５】給電装置および充電装置のそれぞれの制御装置とサーバのハードウェアの一実施例を示す図である。
【図６】充電装置の制御部の一実施例を示す図である。
【図７】充電装置の制御部の動作の一実施例を示すフロー図である。
【図８】充電開始表示画面への遷移と、充電開始表示画面の一実施例を示す図である。
【図９】画面生成情報と給電装置特定情報のデータ構造の一実施例を示す図である。
【図１０】第２の特定情報を入力する画面の一実施例を示す図である。
【図１１】給電装置に設ける表示部の一実施例を示す図である。
【発明を実施するための形態】
【００１１】
以下図面に基づいて、本発明の実施形態について詳細を説明する。
【００１２】
図１は、チャージステーションの一実施例を示す図である。図１に示すチャージステーション１には、車両５を駐車するための駐車エリア２ａ〜２ｄがある。駐車エリア２ａ〜２ｄそれぞれには後述する給電装置７ａ〜７ｄが設けられている。給電装置７ａ〜７ｄには給電部４ａ〜４ｄと給電部４ａ〜４ｄ各々に対応付けられる給電制御部３ａ〜３ｄが配置されている。なお、給電装置７ａ〜７ｄが設置されている施設の一例としてチャージステーション１を示したが、利用者の自宅の駐車場やコンビニエンスストアなどの施設に設けられていてもよいし、施設に給電装置が複数なくてもよい。
【００１３】
図２は、給電装置と車両の関係を示す図である。図２の給電装置７は給電制御部３、給電部４、表示部２０１を備えている。給電制御部３は商用電源から給電された電力を車両５に送電する給電部４の制御を行う。さらに、給電制御部３は充電料金の算出、駐車料金の算出、各種料金の支払いなどに関する制御をしてもよい。また、給電制御部３は通信インタフェースを備え、サーバと通信を行う。
【００１４】
給電部４は電力を車両５に送電するときに用いられる。
なお、図２の給電装置７において給電制御部３と給電部４とは信号線ＳＩＧにより接続されている。
【００１５】
表示部２０１は給電装置７を識別する識別情報の一部を利用者に提示する。識別情報は、例えば、給電装置７または給電装置７の無線機（無線通信部）に割り振られた固有のアドレスである。また、識別情報の一部とは、識別情報を示す固有のアドレスが「１２３４５６７８９１０１」の場合には該アドレスに含まれる情報である。例えば、「１２３４５６７」、「８９１０１」「６７８９」などが考えられる。表示部２０１は識別情報の一部を給電装置７の筺体に塗装したものでもよいし、識別情報の一部が印刷されたシールなどでもよい。また、表示部２０１は給電装置７に備えられているモニタを用いて識別情報の一部を表示させてもよい。例えば、給電のための認証が完了するまで表示させておくことが考えられる。
【００１６】
また、表示部２０１は給電装置７とは別に設けられた看板や電光掲示板などであってもよい。
図２の車両５は充電装置６を備えている。充電装置６は給電部４から送電された電力を受電して、充電装置６に接続されているバッテリに充電をする。バッテリは充電式の二次電池で、例えば、リチウムイオン二次電池、ニッケル水素二次電池などが考えられる。充電装置６は後述する支援装置２０２と接続されている。また、充電装置６は支援装置２０２を有していてもよい。
【００１７】
図３は、車両とサーバとの関係を示す図である。図３に示す車両５にはカーナビゲーションシステム、携帯電話、スマートフォンなどの支援装置２０２が搭載され、無線通信を用いてネットワーク９を介してサーバ８と通信をする。図３のアンテナ３０１は支援装置２０２に搭載されているアンテナまたは車両５に設置されているアンテナが考えられる。
【００１８】
図３のサーバ８は車両支援機能などを有している。車両支援機能は、移動体通信システムを利用してサービスを提供するテレマティクスなどがある。テレマティクスとは、例えば、「Ｇ−ＢＯＯＫ」（登録商標）、「ＣＡＲＷＩＮＧＳ」（登録商標）「ｉｎｔｅｒｎａｖｉ  ｐｒｅｍｉｕｍ  ｃｌｕｂ」（登録商標）などのサービスである。ただし、本実施の形態において説明する給電装置７を特定するための機能は、上記テレマティクスなどには含まれていない。
【００１９】
図４は、給電装置と充電装置の一実施例を示す図である。図４の給電装置７は給電制御部３（制御装置４０１）、電源変換部４０３、整合部４０４、第１のコイル４０５を有する。電源変換部４０３、整合部４０４、第１のコイル４０５は給電部４を構成する。給電部４は車両５に搭載された充電装置６に非接触で給電をする。
【００２０】
制御装置４０１は給電部４を制御して電力を給電させるための制御をする。制御装置４０１はアンテナ４１２からアンテナ４１１を介して充電装置６と無線通信を行う。
電源変換部４０３は、商用電源４０２から供給される電力を決められた周期でかつ決められた電力レベルの交流に変換し、整合部４０４を介して第１のコイル４０５に給電する。
【００２１】
整合部４０４は本例では送電改善をするために用いられ、制御装置４０１により制御される。
第１のコイル４０５は、車両５に搭載されている充電装置６へ電力を給電するために用いられる。
【００２２】
充電装置６は制御装置４０６、第２のコイル４０７、整合部４０８、ＡＣ−ＤＣ変換部４０９を備えている。
制御装置４０６は電力をバッテリ４１０に充電させるための制御をする。制御装置４０６はアンテナ４１１からアンテナ４１２を介して給電装置７と無線通信を行う。本例では、制御装置４０６は給電装置７を特定する機能を有する支援装置２０２と接続されている。ただし、制御装置４０６と支援装置２０２は分ける必要はなく、制御装置４０６に支援装置２０２の機能を含めてもよい。
【００２３】
本例では制御装置４０６は支援装置２０２と接続され、サーバ８の車両支援機能から支援装置２０２を介して第１の特定情報を取得する。例えば、ＧＰＳ（Global Positioning System）機能などにより車両５の位置座標に関する情報を、サーバ８が車両５から取得する。
【００２４】
続いて、サーバ８の車両支援機能は車両５がチャージステーション１の給電装置７に近づいたかもしくは入場したかを判定する。該判定は、例えば、車両５の位置座標が給電装置７の位置座標に決められた距離だけ近づいたか否かを判定する。
【００２５】
車両５がチャージステーション１の給電装置７に近づいたかまたは入場したと判定されると、サーバ８に記憶されているチャージステーション１に設置されている給電装置７のうち、充電装置の位置座標に最も近い位置座標の給電装置７に対応する第１の特定情報が、サーバ８から車両５へ送信される。第１の特定情報とは、給電装置７を識別する識別情報の一部の情報を有し、サーバ８から利用者に提供される情報である。例えば、識別情報である固有のアドレスが「１２３４５６７８９１０１」の場合、識別情報の一部の情報である「１２３４５６７」を、第１の特定情報として用いることが考えられる。なお、第１の特定情報を「１２３４５６７」を用いた場合には、表示部２０１が利用者に提示する情報は「８９１０１」となる。また、第１の特定情報は複数あってもよく、複数の第１の特定情報を別々のサーバから取得してもよい。例えば、複数の第１の特定情報として「１２３」「４５６７」などに分けることが考えられる。
【００２６】
続いて、車両５に搭載された支援装置２０２などの入力部から利用者により表示部２０１に提示された情報が入力されると、制御装置４０６は入力された情報である第２の特定情報と、サーバ８から取得した第１の特定情報と、を用いて第３の特定情報を生成する。
【００２７】
ここで、第２の特定情報は複数あってもよく、複数の第２の特定情報を分けて入力してもよい。例えば、利用者に提示する情報が「８９１０１」である場合、第２の特定情報を「８９」「１０１」などに分けることが考えられる。
【００２８】
第３の特定情報は第１の特定情報と第２の特定情報を組み合わせて生成される情報である。給電装置７の識別情報である固有のアドレスが「１２３４５６７８９１０１」の場合、第１の特定情報の取得と第２の特定情報の入力が正しくされていれば「１２３４５６７８９１０１」が生成される。
【００２９】
続いて、第３の特定情報と車両５を識別するための車両識別情報を用いて、制御装置４０６はアンテナ４１１を介して給電装置７との認証を行うための無線通信を行う。
認証は、例えば、生成した第３の特定情報と車両５を識別するための車両識別情報とを含む認証要求情報を給電装置に送信するために無線通信部に出力する。そして、給電装置７から認証要求情報に対して返信される第３の特定情報と給電装置７に割り振られた識別情報とが一致したこと示す情報を取得し、認証を判定する。
【００３０】
第２のコイル４０７は給電装置７から第１のコイル４０５を介して送電された交流の電力を受電し、受電した電力が整合部４０８に供給される。
整合部４０８は給電装置７と充電装置６との間のインピーダンス整合を行い、制御装置４０６により制御される。
【００３１】
ＡＣ−ＤＣ変換部４０９は受電した交流の電力を直流にして直流にし、直流にした電力はバッテリ４１０に供給する。
バッテリ４１０は充電式の二次電池などが考えられる。
【００３２】
図５は、給電装置および充電装置のそれぞれの制御装置とサーバのハードウェアの一実施例を示す図である。給電装置７の制御装置４０１および充電装置６の制御装置４０６とサーバ８のハードウェアは、図５に示す制御部５０１、記憶部５０２、記録媒体読取装置５０３、入出力インタフェース５０４（入出力Ｉ／Ｆ）、通信インタフェース５０５（通信Ｉ／Ｆ）などをそれぞれ備えている。また、上記各構成部はバス５０６によってそれぞれ接続されている。なお、サーバ８の機能はクラウドなどを用いて実現することもできる。
【００３３】
制御部５０１はCentral Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００３４】
記憶部５０２は、例えばRead Only Memory（ＲＯＭ）、Random Access Memory（ＲＡＭ）などのメモリやハードディスクなどが考えられる。なお、記憶部５０２にはパラメータ値、変数値などのデータを記録してもよいし、実行時のワークエリアとして用いてもよい。また、給電装置７およびサーバ８において、記憶部５０２以外に給電装置７およびサーバ８の外部に他の記憶部を設けてもよく、例えば、データベースなどを設けることが考えられる。
【００３５】
記録媒体読取装置５０３は、制御部５０１の制御に従って記録媒体５０７に対するデータのリード／ライトを制御する。そして、記録媒体５０７に記録媒体読取装置５０３の制御で書き込まれたデータを記録させたり、記録媒体５０７に記録されたデータを読み取らせたりする。また、着脱可能な記録媒体５０７は、コンピュータで読み取り可能なnon-transitory（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc（ＤＶＤ）、ＤＶＤ−ＲＡＭ、Compact Disc Read Only Memory（ＣＤ−ＲＯＭ）、ＣＤ−Ｒ(Recordable)／ＲＷ（ReWritable）などがある。光磁気記録媒体には、Magneto-Optical disk（ＭＯ）などがある。なお、記憶部５０２もnon-transitory（非一時的）な記録媒体に含まれる。
【００３６】
入出力インタフェース５０４には、入出力部５０８が接続され、入力された情報を受信し、バス５０６を介して制御部５０１に送信する。また、制御部５０１からの命令に従ってディスプレイの画面上に操作情報などを表示する。入出力部５０８の入力装置は、例えば、キーボード、ポインティングデバイス（マウスなど）、タッチパネルなどが考えられる。なお、入出力部５０８の出力装置であるディスプレイは、例えば、液晶ディスプレイなどが考えられる。充電装置６の入出力部５０８は、車両５においてダッシュボードに備え付けられていることが考えられる。また、出力部はCathode Ray Tube（ＣＲＴ）ディスプレイ、プリンタなどの出力装置であってもよい。
【００３７】
ただし、本実施の形態では充電装置６の制御装置４０６の入出力部５０８は支援装置２０２として制御装置４０６とは別に設けている。図４、図５、図６を参照。
通信インタフェース５０５は、ＬＡＮ接続やインターネット接続を行うためのインタフェースである。また、通信インタフェース５０５は必要に応じ、他のコンピュータとの間のＬＡＮ接続やインターネット接続や無線接続を行うためのインタフェースとして用いてもよい。
【００３８】
給電装置７の無線通信部５０９はアンテナ４１２を備え、アンテナ４１２を用いて充電装置６との無線通信を行う。
充電装置６の無線通信部５０９は、第１のアンテナ４１１を備え、第１のアンテナ４１１を用いて給電装置７との無線通信を行う。
【００３９】
このようなハードウェア構成を有するコンピュータを用いることによって、給電装置７の制御装置４０１および充電装置６の制御装置４０６とサーバ８が行う各種処理機能が実現される。その場合、給電装置７の制御装置４０１および充電装置６の制御装置４０６とサーバ８が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体５０７に記録しておくことができる。
【００４０】
プログラムを流通させる場合には、例えば、そのプログラムが記録されたＤＶＤ、ＣＤ−ＲＯＭなどの記録媒体５０７が販売される。また、プログラムをサーバコンピュータの記憶装置に記録しておき、ネットワークを介して、サーバコンピュータから他のコンピュータにそのプログラムを転送することもできる。
【００４１】
プログラムを実行するコンピュータは、例えば、記録媒体５０７に記録されたプログラムもしくはサーバコンピュータから転送されたプログラムを、自己の記憶部５０２に記憶する。そして、コンピュータは、自己の記憶部５０２からプログラムを読み取り、プログラムに従った処理を実行する。なお、コンピュータは、記録媒体５０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００４２】
図６は、充電装置の制御部の一実施例を示す図である。制御装置４０６の制御部５０１は取得部６０１、生成部６０２、認証部６０３などを有する。また、支援装置２０２は表示生成部６０４、表示部６０５などを有する。
【００４３】
取得部６０１は、支援装置２０２から送信される第１の特定情報、第２の特定情報、充電開始情報などを取得する。
生成部６０２は、第１の特定情報と第２の特定情報を用いて第３の特定情報を生成する。
【００４４】
認証部６０３は、第３の特定情報と車両識別情報とを用いて、充電装置６と給電装置７の認証を行う。車両識別情報は車両５または充電装置６の無線通信部を特定する情報である。
【００４５】
表示生成部６０４は、支援装置２０２に表示する地図表示画面、充電開始表示画面、第２の特定情報を入力する画面などを表示させる情報を生成する。
表示部６０５（図５の入出力部５０８の出力装置）は、表示生成部６０４で生成した画面を表示させる情報を用いて、画面を表示する。
【００４６】
充電装置の動作について説明する。
図７は、充電装置の制御部の動作の一実施例を示すフロー図である。図８は、充電開始表示画面への遷移と、充電開始表示画面の一実施例を示す図である。図９は、画面生成情報と給電装置特定情報のデータ構造の一実施例を示す図である。図１０は、第２の特定情報を入力する画面の一実施例を示す図である。
【００４７】
ステップＳ７０１では表示生成部６０４が生成した充電開始表示画面を生成し、表示部６０５に出力される。充電開始表示画面は、例えば、図８に示す充電開始表示画面８０２、８０３などを表示することが考えられる。
【００４８】
充電開始表示画面の生成について説明する。
支援装置２０２は車両５の表示部６０５に、例えば走行中であれば図８に示す地図表示画面８０１などを表示する。地図表示画面８０１は、地図画面８０４、メニュー画面８０５を有している。地図画面８０４には車両の位置を示す車両表示部８０６とチャージステーションの位置を示すチャージステーション部８０７（ＣＳ）が、地図上に表示されている。メニュー画面８０５には、サービスを選択する選択ボタン「ｓｅｌｅｃｔ１」〜「ｓｅｌｅｃｔ５」が表示され、選択ボタンを選択すると対応するサービスの画面に遷移する。本例では、カーナビゲーションサービスが選択されている。地図表示画面８０１は、例えば、カーナビゲーションサービスが選択されていると表示生成部６０４が記憶部５０２などに記憶されている画面生成情報９０１を参照し、「地図表示画面」に記憶されている地図表示画面８０１を生成するための情報「ｗｉｎｄｏｗ＿ｍａｐ」「ｍａｐ１＿ｅ」「ｍａｐ２＿ｅ」・・・「ｍａｐｎ＿ｅ」を取得する。そして、表示部６０５に表示する地図表示画面８０１に対応する情報を生成して、表示部６０５に生成した情報を送信する。ただし、地図表示画面の生成は説明した方法に限定されるものではない。画面生成情報９０１はサーバ８またはサーバ８に接続されている記憶部から取得してもよい。なお、メニュー画面８０５は表示しなくてもよい。
【００４９】
充電開始表示画面への遷移方法として、例えば、充電開始表示画面に遷移する選択ボタンを「ｓｅｌｅｃｔ１」〜「ｓｅｌｅｃｔ５」のいずれか１つに対応付け、該選択ボタンが利用者に選択されると充電開始表示画面８０２または充電開始表示画面８０３に遷移する方法が考えられる。または、車両５がチャージステーション１に近づくか到着すると地図表示画面８０１から充電開始表示画面８０２または充電開始表示画面８０３に遷移する方法が考えられる。充電開始表示画面８０２は、地図表示画面８０１に充電開始ボタン８０８（充電開始表示）が表示されている。充電開始ボタン８０８が利用者により選択されると後述する第１の特定情報の表示と第２の特定情報を入力する画面が表示される。なお、充電開始ボタン８０８の位置は本例に示した位置に限定されない。また、充電開始ボタン８０８は地図表示画面８０１以外の画面に表示してもよい。また、充電開始表示画面８０２の表示は限定されるものではない。画面生成情報９０１はサーバ８またはサーバ８に接続されている記憶部から取得してもよい。なお、メニュー画面８０５は表示しなくてもよい。
【００５０】
充電開始表示画面８０３は、地図表示画面８０１に充電開始ウインドウ８０９が表示され、充電開始ウインドウ８０９内には充電を促す表示「充電をしますか？」と、充電をするか否かを決定する表示「はい」「いいえ」が表示される。「はい」（充電開始表示）が利用者により選択されると後述する第１の特定情報の表示と第２の特定情報を入力する画面が表示される。「いいえ」が利用者により選択されると充電開始ウインドウ８０９を閉じる。なお、充電開始ウインドウ８０９の位置は本例に示した位置に限定されない。充電を促す表示は「充電をしますか？」以外の表示でもよい。また、充電開始ウインドウ８０９は地図表示画面８０１以外の画面に表示してもよい。また、充電開始表示画面８０３の表示は限定されるものではない。画面生成情報９０１はサーバ８またはサーバ８に接続されている記憶部から取得してもよい。なお、メニュー画面８０５は表示しなくてもよい。
【００５１】
充電開始表示画面８０２または充電開始表示画面８０３の生成は、表示生成部６０４が記憶部５０２などに記憶されている画面生成情報９０１を参照し、「充電開始表示画面」に記憶されている充電開始表示画面８０２または充電開始表示画面８０３を生成するための情報「ｗｉｎｄｏｗ＿ｃｈｓｔ」「ｃｈｓｔ１＿ｅ」「ｃｈｓｔ２＿ｅ」・・・「ｃｈｓｔｎ＿ｅ」を取得する。そして、表示部６０５に表示する充電開始表示画面８０２または充電開始表示画面８０３に対応する情報を生成して、表示部６０５に生成した情報を送信する。ただし、充電開始表示画面８０２、充電開始表示画面８０３の生成は説明した方法に限定されるものではない。
【００５２】
ステップＳ７０２では、支援装置２０２の入出力部に表示された充電開始表示画面から充電開始が選択されると、支援装置２０２から充電開始信号が制御部５０１に送信される。制御部５０１の取得部６０１は送信された充電開始信号を受信したか否かを判定し、受信した場合（Ｙｅｓ）にはステップＳ７０３に移行し、受信しない場合（Ｎｏ）にはステップＳ７０２に移行する。所定の時間待っても充電開始信号が受信されない場合にはタイムアウトして、ステップＳ７０１に移行してもよい。
【００５３】
ステップＳ７０３では、制御部５０１が第１の特定情報の要求信号をサーバ８に送信する。サーバ８は要求信号を受信すると車両５に近い給電装置７に対応する第１の特定情報を選択して、支援装置２０２に送信する。給電装置７に対応する第１の特定情報の選択は、車両５の現在の位置座標を用いて、給電装置特定情報９０２を参照し、第１の特定情報を特定する。給電装置特定情報９０２は、「第１の特定情報」「位置座標」に記憶する情報を有している。「第１の特定情報」には給電装置７に対応する第１の特定情報が記憶され、本例では第１の特定情報を示す「ａｄｄ＿１」「ａｄｄ＿２」「ａｄｄ＿３」・・・「ａｄｄ＿ｎ」が記憶されている。「位置座標」には給電装置７に対応する第１の特定情報に対応する給電装置７の位置座標を示す情報が記憶され、本例では「（Ｘ１，Ｙ１）」「（Ｘ２，Ｙ２）」「（Ｘ３，Ｙ３）」・・・「（Ｘｎ，Ｙｎ）」が記憶されている。なお、図９の給電装置特定情報９０２はサーバ８またはサーバ８に接続されている記憶部から取得することが考えられる。
【００５４】
ステップＳ７０４では、制御部５０１が第１の特定情報をサーバ８から受信したか否かを判定し、第１の特定情報を受信した場合（Ｙｅｓ）にはステップＳ７０５に移行し、第１の特定情報を受信できない場合（Ｎｏ）にはステップＳ７０４に移行する。そして、制御部５０１の取得部６０１が第１の特定情報を取得すると、取得部６０１から表示生成部６０４に第１の特定情報と、第１の特定情報の表示と第２の特定情報を入力する画面を生成する指示を出力する。所定の時間待っても第１の特定情報が受信されない場合にはタイムアウトして、ステップＳ７０１に移行してもよい。
【００５５】
ステップＳ７０５では、第１の特定情報の表示と第２の特定情報を入力する表示とを有する画面を表示部６０５に表示させるための情報を、表示生成部６０４が生成し、生成した該情報を表示部６０５に出力する。図１０に例として第２の特定情報を入力する画面１００１、１００２、１００３を示す。画面１００１は、取得した第１の特定情報を表示する表示部１００４と、利用者が第２の特定情報を入力する入力部１００５が表示されている。
【００５６】
画面１００２には、取得した第１の特定情報を表示する表示部１００４と、給電装置７に対応付けられた識別番号「Ｎｏ１」〜「Ｎｏ４」・・・の何れかを利用者が選択すると、識別番号に対応した第２の特定情報が入力される選択部１００６が表示されている。
【００５７】
画面１００３は、取得した第１の特定情報を表示する表示部１００４と選択部１００７が表示されている。選択部１００７には、車両５に近い給電装置７に対応付けられた識別番号「Ｎｏ４」が表示され、表示された給電装置７の識別番号「Ｎｏ４」が正しいか否かを利用者に判定させる表示「はい」「いいえ」が表示される。「はい」を選択すると識別番号「Ｎｏ４」に対応する第２の特定情報が入力される。
【００５８】
なお、画面１００１、１００２、１００３にはメニュー画面８０５は表示しなくてもよい。また、第１の特定情報を表示する表示部１００４は表示しなくてもよい。
第２の特定情報を入力する画面１００１、１００２、１００３の生成は、表示生成部６０４が記憶部５０２などに記憶されている画面生成情報９０１を参照し、「第２の特定情報を入力する画面」に記憶されている画面１００１または画面１００２または画面１００３を生成するための情報「ｗｉｎｄｏｗ＿ｉｎｐｕｔ」「ｉｎｐｕｔ１＿ｅ」「ｉｎｐｕｔ２＿ｅ」・・・「ｉｎｐｕｔｎ＿ｅ」を取得する。そして、表示部６０５に表示する画面１００１または画面１００２または画面１００３に対応する情報を生成して、表示部６０５に生成した情報を送信する。ただし、画面１００１または画面１００２または画面１００３の生成は説明した方法に限定されるものではない。
【００５９】
ステップＳ７０６では、取得部６０１が支援装置２０２に入出力部５０８から第２の特定情報が入力されたか否かを判定し、第２の特定情報が入力された場合（Ｙｅｓ）にはステップＳ７０７に移行する。第２の特定情報が入力されない場合（Ｎｏ）にはステップＳ７０６に移行して入力されるのを待つ。所定の時間待っても入力がされない場合にはタイムアウトして、ステップＳ７０１に移行してもよい。
【００６０】
ステップＳ７０７では、生成部６０２が第１の特定情報と第２の特定情報を用いて給電装置を特定する第３の特定情報を生成する。生成した第３の特定情報は認証部６０３に送信される。第３の特定情報は給電装置７に割り振られている識別情報である。
【００６１】
ステップＳ７０８では、認証部６０３が第３の特定情報と車両５を識別する車両識別情報を用いて認証を行う。例えば、第３の特定情報と車両識別情報を含む認証要求情報を給電装置７に送信するために無線通信部に出力する。続いて、給電装置７から認証要求情報に対して返信される第３の特定情報と給電装置７に割り振られた識別情報とが一致したこと示す情報を取得し、認証を判定する。例えば、給電装置７において第３の特定情報と給電装置７に割り振られている識別情報が一致したか否かを判定し、一致した場合に車両５へ第３の特定情報と給電装置７に割り振られた識別情報とが一致したこと示す情報と該車両識別情報とを含む応答信号を送信する。
【００６２】
ステップＳ７０９では、認証部６０３が給電装置７からの応答信号に含まれる車両識別情報と識別情報が、給電装置７に送信した第３の特定情報と車両識別情報と一致しているか否かを判定する。一致している場合（Ｙｅｓ）には認証完了し、一致していない場合にはステップＳ７０３に移行するなどして再度認証を行うことが考えられる。
【００６３】
実施の態様によれば、給電装置７に割り振られている識別情報を少なくとも２つ以上に分け、分けた識別情報（実施形態の第１の特定情報と第２の特定情報）それぞれを異なる方法（実施形態のサーバ８と表示部２０１）で取得して提供する。また、利用者は給電装置７に割り振られている識別情報を全て入力する必要がない。その結果、給電装置７と充電装置６との認証を簡単に行うことができるという効果を奏する。
【００６４】
給電装置に設ける表示部について説明する。
図１１は、給電装置に設ける表示部の一実施例を示す図である。図１１のＡは図２に示す表示部２０１を、給電装置７の筺体１１０１の表示部１１０２に示す位置に配置した例である。なお、図１１のＡでは給電装置７の筺体１１０１の正面中央部に表示部１１０２を設けているが限定されるものではなく、利用者が目視することができれば、筺体１１０１のどこに配置してもよい。
【００６５】
図１１のＢは、給電装置７の筺体１１０１の入出力部を表示部１１０３（図２の表示部２０１）として用いる例である。なお、図１１のＢでは給電装置７の筺体１１０１の正面上側に入出力部があるが限定されるものではなく、利用者が目視することができれば、筺体１１０１のどこに配置してもよい。表示部１１０３に表示する内容を音声で知らせてもよい。
【００６６】
図１１のＣは、給電装置７の筺体１１０１とは別に表示部１１０４（図２の表示部２０１）を設けた例である。なお、図１１のＣでは給電装置７の筺体１１０１の正面上部に表示部１１０４を配置しているが限定されるものではなく、利用者が目視することができれば、筺体１１０１のどこに配置してもよい。例えば、給電装置７の脇に配置してもよい。また、チャージステーション１の給電装置７全ての配置を示す配置図とともに、給電装置７それぞれに対応する表示部１１０４に表示する第２の特定情報を表示してもよい。利用者が給電装置７と特定できるように表示部１１０４に第２の特定情報を表示する。
【００６７】
また、本発明は、上記実施の形態に限定されるものでなく、本発明の要旨を逸脱しない範囲内で種々の改良、変更が可能である。
【符号の説明】
【００６８】
１  チャージステーション、
２ａ  駐車エリア、
３、３ａ  給電制御部、
４、４ａ  給電部、
５  車両、
６  充電装置、
７、７ａ  給電装置、
８  サーバ、
９  ネットワーク、
２０１、１１０２、１１０３、１１０４  表示部、
２０２  支援装置、
３０１、４１１、４１２  アンテナ、
４０１  制御装置、
４０２  商用電源、
４０３  電源変換部、
４０４  整合部、
４０５  第１のコイル、
４０６  制御装置、
４０７  第２のコイル、
４０８  整合部、
４０９  ＡＣ−ＤＣ変換部、
４１０  バッテリ、
５０１  制御部、
５０２  記憶部、
５０３  記録媒体読取装置、
５０４  入出力インタフェース、
５０５  通信インタフェース、
５０６  バス、
５０７  記録媒体、
５０８  入出力部、
５０９  無線通信部、
６０１  取得部、
６０２  生成部、
６０３  認証部、
６０４  表示生成部、
６０５  表示部、
８０１  地図表示画面、
８０２、８０３  充電開始表示画面、
８０４  地図画面、
８０５  メニュー画面、
８０６  車両表示部、
８０７  チャージステーション部、
８０８  充電開始ボタン、
８０９  充電開始ウインドウ、
９０１  画面生成情報
９０２  給電装置特定情報、
１００１、１００２、１００３  画面、
１００４  表示部、
１００５  入力部、
１００６、１００７  選択部、
１１０１  筺体、
【図１】
2014023402.tif 000003
【図２】
2014023402.tif 000004
【図３】
2014023402.tif 000005
【図４】
2014023402.tif 000006
【図５】
2014023402.tif 000007
【図６】
2014023402.tif 000008
【図７】
2014023402.tif 000009
【図９】
2014023402.tif 000010
【図１０】
2014023402.tif 000011
【図１１】
2014023402.tif 000012
【図８】
2014023402.tif 000013